(57)【要約】【課題】直管型ランプが落下することを防ぎ、かつ、直管型ランプの付け外しに手間がかからない直管型ランプ用ソケットを提供する。【解決手段】直管型ランプ用ソケットＡにおいて、直管型ランプの端子を挿入するための端子穴２１が正面側に設けられたソケット板２と、少なくともソケット板２の下側に位置する部分を有しており、ソケット板２の正面方向に移動可能に配置されるカバー３と、カバー３をソケット板２の正面方向に付勢して、ソケット板２の正面側に突出させるカバー用ばね５とを備えるようにした。これにより、直管型ランプの端子が端子穴２１から外れても、直管型ランプの端部がカバー３に引っかかるので落下を防ぐことができる。また、直管型ランプの付け外しの邪魔になるカバー３を容易に押し込むことができ、押圧をやめることで元の位置に戻すことができるので、直管型ランプを容易に付け外しできる。【選択図】図１
2014123507.tif 000002
【特許請求の範囲】
【請求項１】
直管型ランプの端子を挿入するための端子穴が正面側に設けられたソケット板と、
少なくとも前記ソケット板の下側に位置する部分を有しており、前記ソケット板の正面方向に移動可能に配置されるカバーと、
前記カバーを、前記ソケット板の正面方向に付勢して、前記ソケット板の正面側に突出させる付勢部材と、
を備えていることを特徴とする直管型ランプ用ソケット。
【請求項２】
前記ソケット板を正面方向に付勢する第２の付勢部材をさらに備えている、請求項１に記載の直管型ランプ用ソケット。
【請求項３】
前記カバーには、前記ソケット板の正面側に当接するフランジが設けられている、請求項２に記載の直管型ランプ用ソケット。
【請求項４】
前記ソケット板と前記カバーとが一体になっている、請求項１に記載の直管型ランプ用ソケット。
【請求項５】
前記カバーは、前記ソケット板の正面方向を軸とする筒形状である、請求項１ないし４のいずれかに記載の直管型ランプ用ソケット。
【請求項６】
前記カバーの、前記ソケット板の正面から突出する部分の長さは、前記直管型ランプの端子の長さより長い、請求項１ないし５のいずれかに記載の直管型ランプ用ソケット。
【発明の詳細な説明】
【技術分野】
【０００１】
本発明は、直管型蛍光灯や直管型ＬＥＤランプなどの直管型ランプを取り付けるためのソケットに関する。
【背景技術】
【０００２】
直管型蛍光灯や直管型ＬＥＤランプなどの直管型ランプ用のソケットとして、差込式のソケットが知られている。当該ソケットは、正面側に開口部が設けられたケースと、直管型ランプの一方端部の一対の端子を挿入するための一対の端子穴が正面側に設けられたソケット板と、当該ソケット板の背面とケース内部の背面との間に配置されたコイルばねとを備え、コイルばねがソケット板をケースの正面側に押し付ける構造になっている。そして、２つのソケットが、直管型ランプの軸方向の長さに対応した間隔を保って、正面側を向い合せるように配置される。２つのソケットは、それぞれケースの開口部に位置するソケット板の端子穴に直管型ランプの端子を挿入させて、コイルばねがソケット板を正面側に押し付けることにより、直管型ランプを両端から挟み込むようにして支持している（特許文献１参照）。
【０００３】
直管型ランプは、通常、天井などの高い位置に設置されているので、ソケットから外れて落下した場合、大変危険である。差込式のソケットの場合、地震などで直管型ランプが軸方向に振動すると、上記構造のため、外れてしまう可能性がある。すなわち、直管型ランプが一方のソケットのソケット板を背面側に押し込むことにより、他方のソケットから直管型ランプの他方端部の端子が外れてしまう場合がある。特に、直管型ＬＥＤランプは、直管型蛍光灯より重いので、軸方向の振動でより強くソケット板を押し込むことになり、より外れやすくなる。
【０００４】
直管型ランプがソケットから外れて落下することを防ぐ方法として、直管型ランプをベルトで台座に固定する方法（特許文献２参照）や、直管型ランプをリング状の落下防止具に挿通させてからソケットに取り付け、落下防止具を照明器具に貼り付ける方法（特許文献３参照）などが開示されている。
【先行技術文献】
【特許文献】
【０００５】
【特許文献１】特開２００８‐２６２７２３号公報
【特許文献２】実開平７−７０１１号公報
【特許文献３】実用新案登録第３１６２６５９号公報
【発明の概要】
【発明が解決しようとする課題】
【０００６】
しかしながら、特許文献２の方法の場合、ソケットに取り付ける前に直管型ランプにベルトを取り付ける必要があり、ソケットに取り付けた後にベルトを台座に固定する必要がある。また、特許文献３の方法の場合、ソケットに取り付ける前に落下防止具に直管型ランプを挿通させる必要があり、ソケットに取り付けた後に落下防止具を照明器具に貼り付ける必要がある。また、これらの方法の場合、直管型ランプをソケットから取り外す際にも、同様の手間をかける必要がある。
【０００７】
本発明は上記した事情のもとで考え出されたものであって、直管型ランプが落下することを防ぎ、かつ、直管型ランプの付け外しに手間がかからない直管型ランプ用ソケットを提供することをその目的としている。
【課題を解決するための手段】
【０００８】
上記課題を解決するため、本発明では、次の技術的手段を講じている。
【０００９】
本発明の第１の側面によって提供される直管型ランプ用ソケットは、直管型ランプの端子を挿入するための端子穴が正面側に設けられたソケット板と、少なくとも前記ソケット板の下側に位置する部分を有しており、前記ソケット板の正面方向に移動可能に配置されるカバーと、前記カバーを、前記ソケット板の正面方向に付勢して、前記ソケット板の正面側に突出させる付勢部材とを備えていることを特徴とする。
【００１０】
なお、「直管型ランプ」は、直管型蛍光灯や直管型ＬＥＤランプ（いわゆる「ＬＥＤ蛍光灯」）などを含んでいる。
【００１１】
本発明の好ましい実施の形態においては、前記ソケット板を正面方向に付勢する第２の付勢部材をさらに備えている。
【００１２】
本発明の好ましい実施の形態においては、前記カバーには、前記ソケット板の正面側に当接するフランジが設けられている。
【００１３】
本発明の好ましい実施の形態においては、前記ソケット板と前記カバーとが一体になっている。
【００１４】
本発明の好ましい実施の形態においては、前記カバーは、前記ソケット板の正面方向を軸とする筒形状である。
【００１５】
本発明の好ましい実施の形態においては、前記カバーの、前記ソケット板の正面から突出する部分の長さは、前記直管型ランプの端子の長さより長い。
【発明の効果】
【００１６】
本発明によると、少なくともソケット板の下側に位置する部分を有しているカバーが、付勢部材による付勢によって、ソケット板の正面側に突出している。したがって、直管型ランプの端子がソケット板の端子穴から外れたとしても、直管型ランプの端部がカバーに引っかかるので落下することを防ぐことができる。
【００１７】
また、カバーはソケット板の正面方向に移動可能であり、付勢部材によって、ソケット板の正面側に付勢されている。したがって、直管型ランプを付け外しする際に邪魔になるカバーを、ソケット板の背面方向に押圧することで容易に押し込むことができ、また、押圧をやめることでカバーを元の位置に戻すことができる。直管型ランプの付け外しの前後に他の部材の付け外しを必要としないので、直管型ランプを容易に付け外しすることができる。
【００１８】
本発明のその他の特徴および利点は、添付図面を参照して以下に行う詳細な説明によって、より明らかとなろう。
【図面の簡単な説明】
【００１９】
【図１】第１実施形態に係る直管型ランプ用ソケットを説明するための図である。
【図２】第１実施形態に係る直管型ランプ用ソケットを説明するための分解斜視図である。
【図３】第１実施形態に係る直管型ランプ用ソケットの使用例、および、直管型ランプの取り付け方を説明するための図である。
【図４】第１実施形態に係る直管型ランプ用ソケットの他の実施例を説明するための図である。
【図５】第１実施形態に係る直管型ランプ用ソケットの他の実施例を説明するための図である。
【図６】第２実施形態に係る直管型ランプ用ソケットを説明するための図である。
【図７】第２実施形態に係る直管型ランプ用ソケットを説明するための分解斜視図である。
【発明を実施するための形態】
【００２０】
以下、本発明の実施の形態を、図面を参照して具体的に説明する。
【００２１】
図１および図２は、第１実施形態に係る直管型ランプ用ソケットを説明するための図である。図１（ａ）は正面図であり、図１（ｂ）は同図（ａ）のＩ−Ｉ線視断面図である。図２は、分解斜視図である。
【００２２】
直管型ランプ用ソケットＡは、直管型ランプを取り付けて使用されるものである（後述する図３参照）。直管型ランプ用ソケットＡは、ケース１、ソケット板２、カバー３、ソケット板用ばね４、および、カバー用ばね５を備えている。なお、直管型ランプ用ソケットＡは、実際には電力供給用の端子や配線などを備えているが、図示を省略している。
【００２３】
ケース１は、正面側（図１（ｂ）においては図の左側）に開口部１１を有し、内部に空洞を有するプラスチック成形品である。ソケット板２は、開口部１１に配置される円板形状のプラスチック成形品である。ソケット板２の正面側中央部には、左右に２つ並んだ端子穴２１が設けられている。当該一対の端子穴２１には、直管型ランプＢ（後述する図３参照）の端部の一対の端子が挿入される。カバー３は、円筒形状のプラスチック成形品であり、内面側には内側フランジ部３１が形成され、背面側端部の外面側には外側フランジ部３２が形成されている。カバー３は、ケース１の開口部１１から突出する位置に配置されており、ケース１の背面方向（図１（ｂ）においては右方向）に移動可能になっている。カバー３は、外側フランジ部３２がケース１の正面側内面に当接することで、正面側への移動を規制されている。ソケット板２は、内側フランジ部３１に当接することで、正面側への移動を規制されている。なお、ケース１、ソケット板２、および、カバー３の形状および材質は、上記したものに限定されない。
【００２４】
本実施形態では、外側フランジ部３２がケース１の正面側内面に当接し、ソケット板２が内側フランジ部３１に当接した状態（図１（ｂ）の状態）で、カバー３がソケット板２の正面側に突出する長さＬ１が、直管型ランプＢの端子の長さＬ２（後述する図３（ａ）参照）より長くなるようにしている。これは、直管型ランプＢの端子がソケット板２の端子穴２１から外れた場合に、カバー３の突出部分に直管型ランプＢの端部が引っかかるようにするためである。なお、長さＬ１が長さＬ２より短い場合でも、カバー３の突出部分に直管型ランプＢの端子が引っかかるので、直管型ランプＢの落下を防ぐことができる。しかし、より確実に直管型ランプＢの落下を防ぐためには長さＬ１が長いほどよく、長さＬ２より長くするのが望ましい。
【００２５】
ソケット板用ばね４は、コイルばねであり、ソケット板２を正面側に付勢する。ソケット板２は、ソケット板用ばね４によって付勢され、内側フランジ部３１に押し付けられている。カバー用ばね５は、コイルばねであり、カバー３を正面側に付勢する。カバー３はカバー用ばね５によって付勢され、外側フランジ部３２がケース１の正面側内面に押し付けられている。ソケット板用ばね４は、カバー用ばね５の内側の空間に、互いに接触しないように配置されている。本実施形態では、「ソケット板用ばね４」が本発明の「第２の付勢部材」に対応し、「カバー用ばね５」が本発明の「付勢部材」に対応する。
【００２６】
ケース１は、正面側の部材と背面側の部材とが分割形成されており、内部にソケット板２、カバー３、ソケット板用ばね４、および、カバー用ばね５を配置した後に、一体化される。まず、ケース１の背面側部材の正面側にソケット板用ばね４の一方端を固定し、他方端にソケット板２を固定する。次に、ケース１の背面側部材の正面側の、ソケット板用ばね４の固定位置の外側にカバー用ばね５の一方端を固定する。そして、カバー３を、ソケット板２に正面側から被せるようにして、カバー用ばね５の他方端に固定する。最後に、開口部１１にカバー３を挿通させて、ケース１の正面側部材を背面側部材に固定する。
【００２７】
なお、直管型ランプ用ソケットＡの組み立て方は、これに限られない。例えば、ソケット板用ばね４およびカバー用ばね５をケース１の背面側部材に固定しておいて、ソケット板２とカバー３とを組み合わせたものを被せて、ソケット板用ばね４とソケット板２との固定と、カバー用ばね５とカバー３との固定とを、同時に行うようにしてもよい。また、ケース１が右側部材と左側部材とで分割形成されるようにして、ソケット板２、カバー３、ソケット板用ばね４、および、カバー用ばね５を組み立てたものを一方（例えば、左側部材）に取り付けてから、右側部材と左側部材とを固定するようにしてもよい。また、ケース１が上側の面の蓋部材とそれ以外の本体部材とで分割形成されるようにし、ソケット板２、カバー３、ソケット板用ばね４、および、カバー用ばね５を組み立てたものを各ばね４，５を縮めた状態で本体部材の上側から挿入して開口部１１からカバー３が突出する位置に配置し、その後に蓋部材を固定するようにしてもよい。
【００２８】
なお、図示していないが、ソケット板２の背面側の端子穴２１に対応する位置には、端子穴２１に挿入された直管型ランプＢの端子に電気的に接続するための端子が配置され、当該端子と電源とが配線によって接続されている。直管型ＬＥＤランプの一方端に設けられている端子は、単に固定のために用いられるものであり、電気的に接続されるものではないので、これを取り付けられる側の直管型ランプ用ソケットＡの場合、端子や配線を備えていなくてもよい。
【００２９】
次に、図３を用いて、直管型ランプ用ソケットＡの使用例、および、直管型ランプＢの取り付け方を説明する。
【００３０】
２つの直管型ランプ用ソケットＡは、直管型ランプＢの軸方向の長さに対応した間隔を保って正面側を向い合せるようにして、天井や台座に固定される（図３（ａ）参照）。同図においては、左側に配置される直管型ランプ用ソケットＡを直管型ランプ用ソケットＡ１とし、右側に配置される直管型ランプ用ソケットＡを直管型ランプ用ソケットＡ２としている。また、直管型ランプ用ソケットＡ１、Ａ２のソケット板用ばね４およびカバー用ばね５の記載を省略している。以下の説明では、直管型ランプＢを先に左側の直管型ランプ用ソケットＡ１に取り付ける場合について説明するが、先に右側の直管型ランプ用ソケットＡ２に取り付けるようにしてもよい。
【００３１】
まず、直管型ランプ用ソケットＡ１のソケット板２の一対の端子穴２１に、直管型ランプＢの一方端の一対の端子を挿入する（図３（ｂ）参照）。直管型ランプＢの一方端が下方から斜めにソケット板２を押し込むようにして、端子が端子穴２１に挿入される。なお、直管型ランプＢの角度や、カバー３の突出部分の長さＬ１によっては、カバー３の突出部分の先端と直管型ランプＢの側面とが接触する場合がある。この場合は、カバー３の突出部分が少し下側を向くように、カバー３の下方を少し押圧すればよい。
【００３２】
次に、直管型ランプＢを左側に押し付けて直管型ランプ用ソケットＡ１のソケット板２を押し込みながら、直管型ランプＢの他方端の端子が当たらないように直管型ランプ用ソケットＡ２のカバー３を押し込んで、直管型ランプＢを水平にする（図３（ｃ）参照）。
【００３３】
直管型ランプＢを水平にしたまま直管型ランプ用ソケットＡ１のソケット板２の押し込みを緩めて、直管型ランプＢの他方端の一対の端子を直管型ランプ用ソケットＡ２のソケット板２の一対の端子穴２１に挿入する（図３（ｄ）参照）。
【００３４】
以上のように、図３（ｃ）において直管型ランプ用ソケットＡ２のカバー３を押し込む動作が加わる以外、カバー３のない従来の直管型ランプ用ソケットの場合とほぼ同様の方法で、直管型ランプＢを取り付けることができる。直管型ランプＢを直管型ランプ用ソケットＡ１、Ａ２から取り外す場合は、上記の逆の工程を行えばよい。すなわち、図３（ｄ）の状態から直管型ランプＢを水平に左側に押し付けて、直管型ランプ用ソケットＡ２のカバー３を押し込む（図３（ｃ）参照）。そして、直管型ランプＢを斜め下方向に抜き取る（図３（ｂ）参照）。この場合も、直管型ランプ用ソケットＡ２のカバー３を押し込む動作が加わる以外、カバー３のない従来の直管型ランプ用ソケットの取り外しとほぼ同様の方法で、直管型ランプＢを取り外すことができる。
【００３５】
直管型ランプ用ソケットＡ（Ａ１，Ａ２）は、図３（ｄ）の状態で使用される。すなわち、直管型ランプ用ソケットＡ１、Ａ２は、それぞれ、ソケット板用ばね４がソケット板２を直管型ランプＢ側に押し付けることにより、直管型ランプＢを両端から挟み込むようにして支持する。直管型ランプＢの両端の端子には、直管型ランプ用ソケットＡ１、Ａ２の端子および配線（図示せず）を介して電力が供給される。
【００３６】
本実施形態において、直管型ランプ用ソケットＡはカバー３を備えており、当該カバー３はカバー用ばね５によって正面側に付勢されている。したがって、取り付けられた直管型ランプＢが軸方向に振動して、直管型ランプＢの端子が端子穴２１からはずれたとしても、カバー３がカバー用ばね５によって正面側に押し付けられて正面側に突出した状態にあるので、直管型ランプＢの端部（または、端部の端子）が突出したカバー３に引っかかる。これにより、直管型ランプＢが落下してしまうことを防ぐことができる。
【００３７】
また、カバー３は、ソケット板２と内側フランジ部３１とを介して、ソケット板用ばね４によっても、正面側に付勢されている。したがって、カバー３は、正面側に強く付勢されているので、正面側に突出した状態を強く保つことができる。カバー用ばね５が破損した場合でも、ソケット板２と内側フランジ部３１とを介したソケット板用ばね４による付勢で、カバー３が正面側に突出した状態を保つことができる。
【００３８】
また、カバー３は、ケース１の背面方向に移動可能であり、カバー用ばね５によって、ケース１の正面側に付勢されている。したがって、直管型ランプＢを直管型ランプ用ソケットＡに付け外しする際に邪魔になるカバー３を、ケース１の背面方向に押圧することで容易に押し込むことができ、また、押圧をやめることでカバー３を元の位置に戻すことができる。つまり、図３で説明したように、カバー３のない従来の直管型ランプ用ソケットの場合とほぼ同様の方法で、付け外しすることができる。直管型ランプ用ソケットＡへの付け外しの前後に、直管型ランプＢへの他の部材の付け外しを必要としないので、直管型ランプＢを容易に付け外しすることができる。
【００３９】
なお、本実施形態においては、カバー用ばね５が１つのコイルばねである場合について説明したが、これに限られない。例えば、図４（ａ）に示すように、カバー用ばね５に代えて、コイルばねであるカバー用ばね５’を複数備えるようにしてもよい。カバー用ばね５’の数は限定されないが、カバー３の背面側端部の円周上に均等に配置されるのが望ましい。また、図４（ｂ）に示すように、カバー用ばね５に代えて、板ばねであるカバー用ばね５”を備えるようにしてもよい。カバー用ばね５”の数も限定されないが、カバー３の背面側端部の円周上に均等に配置されるのが望ましい。また、カバー３を正面側に付勢すればよいので、ばねの代わりにゴムなどの弾性部材を用いるようにしてもよい。
【００４０】
また、本実施形態においては、ソケット板用ばね４がソケット板２を正面側に付勢する場合について説明したが、これに限られない。上述した直管型ランプＢの取り付け方（図３参照）から明らかなように、直管型ランプ用ソケットＡ２のソケット板２は移動可能にする必要がない。同図３（ｃ）においては、ソケット板２がカバー３の内側フランジ部３１に当接して右側に押し込まれているが、ソケット板２は元の位置に固定されていても問題ない。図４（ｃ）は、ソケット板２を移動しないように固定した場合を示している。ソケット板２は、固定部材６によって、ケース１の内部の背面側に固定されており、ソケット板用ばね４は設けられていない。また、カバー３の内側フランジ部３１も設けられていない。固定部材６の形状や数、固定の仕方は限定されない。固定部材６はケース１の背面側部材、または、ソケット板２と一体に成形されてもよいし、ケース１の背面側部材、固定部材６、および、ソケット板２が一体に成形されてもよい。図４（ｃ）の実施例でも、一対の直管型ランプ用ソケットＡの一方として用いることができる。
【００４１】
本実施形態においては、カバー３に内側フランジ部３１および外側フランジ部３２が設けられている場合について説明したが、これに限られない。カバー３の正面側への移動を所定の範囲に規制できれば、外側フランジ部３２を設ける必要はなく、ソケット板２の正面側への移動を所定の範囲に規制できれば、内側フランジ部３１を設けなくてもよい。
【００４２】
本実施形態においては、カバー３が円筒形状である場合について説明したが、これに限られない。カバー３は直管型ランプＢの落下を防ぐためのものなので、ソケット板２の下側に位置する部分があればよい。例えば、図５（ａ）に示すように、カバー３が下半分だけであってもよいし、図５（ｂ）に示すように、カバー３がさらに小さくてもよい。なお、図５（ｂ）の場合は、カバー３の内側フランジ部３１によってソケット板２上部の正面側への移動を規制することができないので、ケース１の開口部１１の上側に突出する規制部１２を設けて、ソケット板２上部が当接するようにしている。
【００４３】
また、ソケット板２は正面視円形状であることに限定されず、他の形状であってもよい。例えば、図５（ｃ）に示すように、ソケット板２が正面視正方形状であってもよい。図５（ｃ）においては、ソケット板２の形状に合わせて、カバー３の形状も正面視正方形状の角筒形状としている。また、図５（ｄ）に示すように、カバー３が下半分だけであってもよい。
【００４４】
本実施形態においては、直管型ランプＢを天井に取り付ける場合について説明したが、これに限られない。直管型ランプＢの軸方向を縦にして壁に取り付ける場合にも、本発明の直管型ランプ用ソケットＡを用いることができる。この場合、直管型ランプＢが重力によって下側の直管型ランプ用ソケットＡのソケット板２を押し込みやすく、直管型ランプＢの上側の端子が抜けやすくなるので、正面側（この場合は下方向）に付勢されたカバー３による直管型ランプＢの落下防止という効果がより有効に機能する。なお、直管型ランプＢの軸方向を横にして壁に取り付ける場合にも、本発明の直管型ランプ用ソケットＡを用いることができる。この場合、図５（ａ）、（ｂ）、（ｄ）のようにカバー３の一部のみを残した形状とするのであれば、重力の向きの下側を残した形状にする必要がある。また、直管型ランプ用ソケットＡを、上面（図１（ｂ）においては図の上側の面）が下になるようにして棚などに取り付ける場合も、同様である。
【００４５】
上記第１実施形態においては、ソケット板２とカバー３とが別部材である場合について説明したが、ソケット板２とカバー３とが一体になっていてもよい。この場合を、第２実施形態として、以下に説明する。
【００４６】
図６および図７は、第２実施形態に係る直管型ランプ用ソケットを説明するための図である。図６（ａ）は正面図であり、図６（ｂ）は同図（ａ）のＩＩ−ＩＩ線視断面図である。図７は、分解斜視図である。これらの図において、第１実施形態に係る直管型ランプ用ソケットＡ(図１および図２参照）と同一または類似の要素には、同一の符号を付している。
【００４７】
直管型ランプ用ソケットＡ’は、ソケット板２およびカバー３に代えて、これらが一体になったソケット板２’を備えている点で、第１実施形態に係る直管型ランプ用ソケットＡと異なる。
【００４８】
ソケット板２’は、第１実施形態に係るソケット板２とカバー３とを一体にしたものである。すなわち、ソケット板２’は、円板形状の本体部分と、当該本体部分から正面側に突出する円筒形状のカバー部２２と、本体部分背面側の外周から張り出すように設けられた外側フランジ部２３とを備えたプラスチック成形品である。また、ソケット板２’の本体部分の正面側中央部には、直管型ランプＢの端部の一対の端子が挿入される端子穴２１が設けられている。ソケット板２’は、カバー部２２がケース１の開口部１１から突出する位置に配置されており、ケース１の背面方向（図６（ｂ）においては右方向）に移動可能になっている。ソケット板２’は、外側フランジ部２３がケース１の正面側内面に当接することで、正面側への移動を規制されている。なお、ソケット板２’の形状および材質は、上記したものに限定されない。第２実施形態では、カバー部２２がソケット板２’の本体部分の正面側に突出する長さＬ１’が、直管型ランプＢの端子の長さＬ２より長くなるようにしている。
【００４９】
ソケット板用ばね４は、コイルばねであり、ソケット板２’を正面側に付勢する。ソケット板２’は、ソケット板用ばね４によって付勢され、外側フランジ部２３がケース１の正面側内面に押し付けられている。第２実施形態では「ソケット板用ばね４」が、本発明の「付勢部材」に対応する。
【００５０】
第２実施形態においては、カバー部２２を備えたソケット板２’がソケット板用ばね４によって正面側に付勢されている。したがって、取り付けられた直管型ランプＢが軸方向に振動して、直管型ランプＢの端子が端子穴２１からはずれたとしても、カバー部２２が正面側に突出した状態にあるので、直管型ランプＢの端部（または、端部の端子）が突出したカバー部２２に引っかかる。これにより、直管型ランプＢが落下してしまうことを防ぐことができる。
【００５１】
また、ソケット板２’は、ケース１の背面方向に移動可能であり、ソケット板用ばね４によって、ケース１の正面側に付勢されている。したがって、直管型ランプＢを直管型ランプ用ソケットＡに付け外しする際に邪魔になるカバー部２２を、ケース１の背面方向に押圧することで容易に押し込むことができ、また、押圧をやめることでカバー部２２（ソケット板２’）を元の位置に戻すことができる。つまり、第１実施形態に係る取り付け方法（図３参照）と同様に、カバー部２２のない従来の直管型ランプ用ソケットの場合とほぼ同様の方法で、付け外しすることができる。直管型ランプ用ソケットＡへの付け外しの前後に、直管型ランプＢへの他の部材の付け外しを必要としないので、直管型ランプＢを容易に付け外しすることができる。
【００５２】
なお、第２実施形態においては、ソケット板用ばね４が１つのコイルばねである場合について説明したが、これに限られない。例えば、図４（ａ）に示す複数のカバー用ばね５’を、ソケット板用ばね４に代えて備えるようにしてもよい。また、図４（ｂ）に示す板ばねであるカバー用ばね５”を、ソケット板用ばね４に代えて備えるようにしてもよい。また、ソケット板用ばね４に代えて、ゴムなどの弾性部材を用いるようにしてもよい。
【００５３】
第２実施形態においては、ソケット板２’に外側フランジ部２３が設けられている場合について説明したが、これに限られない。ソケット板２’の正面側への移動を所定の範囲に規制できれば、外側フランジ部２３を設ける必要はない。
【００５４】
第２実施形態においては、ソケット板２’が正面視円形状で、カバー部２２が円筒形状である場合について説明したが、これに限られない。カバー部２２は直管型ランプＢの落下を防ぐためのものなので、ソケット板２’の本体部分の下側に位置する部分があればよい。例えば、図５（ａ）、（ｂ）に示す実施例と同様に、カバー部２２が下部分だけであってもよい。また、ソケット板２’は正面視円形状であることに限定されず、他の形状であってもよい。例えば、図５（ｃ）、（ｄ）に示す実施例と同様に、ソケット板２’が正面視正方形状であってもよいし、カバー部２２の形状が正面視正方形状の角筒形状であってもよい。
【００５５】
また、第２実施形態に係る直管型ランプ用ソケットＡ’も、直管型ランプＢを壁に取り付ける場合や、棚などに取り付ける場合にも、用いることができる。
【００５６】
本発明に係る直管型ランプ用ソケットは、上述した実施形態に限定されるものではない。本発明に係る直管型ランプ用ソケットの各部の具体的な構成は、種々に設計変更自在である。
【符号の説明】
【００５７】
Ａ，Ａ１，Ａ２，Ａ’直管型ランプ用ソケット
１  ケース
１１  開口部
１２  規制部
２，２’ソケット板
２１  端子穴
２２  カバー部
２３  外側フランジ部
３  カバー
３１  内側フランジ部
３２  外側フランジ部
４  ソケット板用ばね（第２の付勢部材、付勢部材）
５，５’，５”  カバー用ばね（付勢部材）
６  固定部材
Ｂ  直管型ランプ
【図１】
2014123507.tif 000003
【図２】
2014123507.tif 000004
【図３】
2014123507.tif 000005
【図４】
2014123507.tif 000006
【図５】
2014123507.tif 000007
【図６】
2014123507.tif 000008
【図７】
2014123507.tif 000009